(57)【要約】【課題】レンズを保護するためのレンズ保護装置を電磁気力を用いて自動的に開閉することにより、携帯電話の全体積及び全重さを減らすこと。【解決手段】レンズを保護するための保護手段と、レンズを開閉するように保護手段を駆動するための駆動手段とを含み、駆動手段は電流と磁場から形成される力によって駆動されることを特徴とする、携帯電話カメラ用レンズ保護装置を提供する。【選択図】図１
2007241291.tif 000002
【特許請求の範囲】
【請求項１】
レンズを保護するための保護手段と、
前記レンズを開閉するように前記保護手段を駆動するための駆動手段と、を含み、
前記駆動手段は電流と磁場から形成される力によって駆動されることを特徴とする、携帯電話カメラ用レンズ保護装置。
【請求項２】
前記磁場は、前記電流の方向に直交することを特徴とする、請求項１に記載の携帯電話カメラ用レンズ保護装置。
【請求項３】
前記駆動手段は、前記電流の方向が変わるにつれて駆動方向が変わることを特徴とする、請求項２に記載の携帯電話カメラ用レンズ保護装置。
【請求項４】
カメラのレンズが露出する開放口を有するベースと、
前記ベースに固設され、電流の印加を受けるためのコイルと、
前記開放口を開閉するように前記ベースに旋回可能に取り付けられるレンズ蓋と、
前記コイルの周辺に磁場を形成するように前記レンズ蓋に取り付けられる磁石と、を含み、
前記磁石は前記電流及び前記磁場から形成される力によって駆動され、前記レンズ蓋は前記駆動される磁石によって前記開放口を開閉することを特徴とする、携帯電話カメラ用レンズ保護装置。
【請求項５】
前記磁石は、前記磁場が前記電流の方向に直交するように前記コイルの直上に位置することを特徴とする、請求項４に記載のレンズ保護装置。
【請求項６】
前記磁石は、直線を描くように駆動されることを特徴とする、請求項５に記載のレンズ保護装置。
【請求項７】
前記磁石は、曲線を描くように駆動されることを特徴とする、請求項５に記載のレンズ保護装置。
【請求項８】
前記磁石は、前記電流の方向が変わるにつれて駆動方向が変わって往復運動することを特徴とする、請求項５に記載のレンズ保護装置。
【請求項９】
前記磁石を前記レンズ蓋に取り付けるための取付部材をさらに含み、前記取付部材は前記レンズ蓋と共に相対運動することを特徴とする、請求項４に記載のレンズ保護装置。
【請求項１０】
前記コイルの両側に設置され、前記磁石を引っ張って固定させるための一対の固定部材をさらに含むことを特徴とする、請求項４に記載のレンズ保護装置。
【請求項１１】
前記磁石は、前記固定部材に非接触することを特徴とする、請求項１０に記載のレンズ保護装置。
【発明の詳細な説明】
【技術分野】
【０００１】
本発明は、携帯電話カメラのレンズを保護するためのレンズ保護装置に係り、より詳しくは、外部に露出するカメラレンズを自動的に開閉して保護することが可能な携帯電話カメラ用レンズ保護装置に関する。
【背景技術】
【０００２】
携帯電話は、ユーザが楽に携帯しながら相手側と無線通信を行うための装置であって、最近開発されて市場に出た携帯電話は、消費者の様々なニーズを受け止め、音声送受信機能やインターネット接続機能、映像を撮影して送受信することが可能な映像撮影及び送受信機能などを持っており、このような映像撮影のためのカメラが備えられている。
【０００３】
ところが、携帯電話に取り付けられるカメラは、レンズが外部に常に露出しているので、レンズが塵や異物などによって引っ掻かれ易く、外部の物理的衝撃に脆弱であるという問題点があった。これを解決するために、カメラのレンズを保護するためのレンズ保護装置が創案された。このようなレンズ保護装置の一例が図７に示されている。
【０００４】
図７に示すように、レンズ保護装置１０は、駆動源４０、連結ギア５１、ラックギア５２、及び保護カバー３０から構成されている。
【０００５】
駆動源４０は、レンズ保護装置１０を駆動する駆動力を発生させるためのもので、所定の電圧が印加されると、回転軸４１を回転させる。
【０００６】
連結ギア５１は、回転軸４１に固設され、ラックギア５２と噛み合ってラックギア５２に回転力を伝達する。
【０００７】
ラックギア５２は、連結ギア５１から伝達された駆動源４０の回転力を用いて保護カバー３０を開閉するためのもので、一方の末端に保護カバー３０が固設され、連結ギア５１と噛み合う。
【０００８】
保護カバー３０は、カメラ２０のレンズ２１を保護するためのもので、ラックギア５２の回転運動によってカメラ２０のレンズ２１を開閉する。
【０００９】
ところが、上述した構成を持つレンズ保護装置１０は、保護カバー３０を駆動させるために、例えば比較的体積が大きく重量が重いモーターなどの駆動源４０が使用されるので、携帯電話の小型化の障害となっており、これにより携帯電話の全重量が増加するという問題点があった。
【発明の開示】
【発明が解決しようとする課題】
【００１０】
そこで、本発明は、上述した従来の技術の問題点を解決するためのもので、その目的とするところは、レンズを保護するためのレンズ保護装置を電磁気力を用いて自動的に開閉することにより、携帯電話の全体積及び全重量を減らすことにある。
【課題を解決するための手段】
【００１１】
上記目的を達成するために、本発明のある観点によれば、レンズを保護するための保護手段と、レンズを開閉するように保護手段を駆動するための駆動手段とを含み、駆動手段は電流と磁場から形成される力によって駆動されることを特徴とする、携帯電話カメラ用レンズ保護装置を提供する。
【００１２】
ここで、磁場は電流の方向に直交してもよい。
【００１３】
また、駆動手段は、電流の方向が変わるにつれて駆動方向が変わってもよい。
【００１４】
本発明の他の観点によれば、カメラのレンズが露出する開放口を有するベースと、ベースに固設され、電流の印加を受けるためのコイルと、開放口を開閉するようにベースに旋回可能に取り付けられるレンズ蓋と、コイルの周辺に磁場を形成するようにレンズ蓋に取り付けられる磁石とを含み、磁石は電流及び磁場から形成される力によって駆動され、レンズ蓋は駆動される磁石によって開放口を開閉することを特徴とする、携帯電話カメラ用レンズ保護装置を提供する。
【００１５】
ここで、磁石は、磁場が電流の方向に直交するようにコイルの直上に位置してもよい。
【００１６】
また、磁石は、直線を描くように駆動されてもよい。
【００１７】
また、磁石は、曲線を描くように駆動されてもよい。
【００１８】
また、磁石は、電流の方向が変わるにつれて駆動方向が変わって往復運動してもよい。
【００１９】
また、磁石をレンズ蓋に取り付けるための取付部材をさらに含み、取付部材はレンズ蓋と共に相対運動してもよい。
【００２０】
また、コイルの両側に設置され、磁石を引っ張って固定させるための一対の固定部材をさらに含んでもよい。
【００２１】
また、磁石は、固定部材に非接触してもよい。
【発明の効果】
【００２２】
本発明の携帯電話カメラ用レンズ保護装置によれば、レンズ保護装置を自動的に開閉するに際して、比較的体積が小さく重量が軽いコイル及び磁石による電磁気力を用いるため、携帯電話の全体積及び全重量を減らすことができる。
【発明を実施するための最良の形態】
【００２３】
以下に添付図面を参照しながら、本発明の好適な実施の形態に係る携帯電話カメラ用レンズ保護装置について詳細に説明する。
【００２４】
図１及び図２に示すように、本発明の第１実施形態に係るレンズ保護装置１００は、ベース１１０、コイル１２０、磁石１３０、レンズ蓋１４０、取付部材１５０及び固定部材１６０を含む。
【００２５】
ベース１１０は、レンズ保護装置１００の部品が実装される部分であって、カメラ（図示せず）のレンズが露出する開放口１１１、及びコイル１２０が結合する結合部１１２を有する。
【００２６】
開放口１１１は、ベース１１０の中央から縁部に片寄って設けられる。
【００２７】
結合部１１２は、開放口１１１より低い位置にコイル１２０が結合するように段差をもって形成されるもので、レンズ蓋１４０を旋回可能に支持する支持軸１１３、取付部材１５０が定着される定着部１１５、及び固定部材１６０を支持する支持突起１１６を有する。
【００２８】
支持軸１１３は、開放口１１１と同一の高さを持ってレンズ蓋１４０が水平を保つように、結合部１１２の側壁に設けられる。
【００２９】
定着部１１５は、結合部１１２の横方向に直線を成すように設けられ、取付部材１５０の移動範囲を限定する。
【００３０】
支持突起１１６は、定着部１１５の両末端に隣接して設けられ、その上部に磁石１３０と反応して引力を発生させる固定部材１６０が設置される。ここで、支持突起１１６は、定着部１１５から離れて設けられ、磁石１３０が固定部材１１６に非接触することが好ましい。
【００３１】
コイル１２０は、電流の印加を受けるためのもので、例えば銅などの電気伝導性材料が所定の回数で巻線されて環状をしている。本実施形態において、コイル１２０は、対向する辺の電流の方向がお互い反対となるように断面が四角形であることが好ましい。
【００３２】
また、コイル１２０は、ベース１１０の結合部１１２に固設され、フレキシブル回路基板１２１と電気的に接続されて携帯電話（図示せず）の本体から電流の印加を受ける。
【００３３】
磁石１３０は、コイル１２０の周辺に磁場を形成するためのもので、磁場が電流の方向に直交するようにコイル１２０の真上に位置し、コイル１２０に流れる電流と磁場から形成される電磁気力によって直線を描くように駆動可能である。
【００３４】
また、磁石１３０は、Ｎ極からＳ極側に磁気力線を放射して磁場を形成する一般な棒磁石１３０である。本実施形態において、磁石１３０としては、Ｎ／Ｓ極を持つ長方形の棒磁石１３０が使用される。
【００３５】
ここで、磁石１３０が、コイル１２０の真上に位置するので、コイル１２０側へ垂直に放射されるＮ極の磁気力線と、コイル１２０側から垂直に入射するＳ極の磁気力線によって形成される電磁気力とによって磁石１３０を駆動することができる。
【００３６】
また、磁石１３０の磁場が常に一定に形成されるため、コイル１２０に印加される電流の方向を変えて電磁気力の方向を変えることができ、これにより磁石１３０の駆動方向が変わる可能性がある。
【００３７】
レンズ蓋１４０は、レンズを保護するためのもので、開放口１１１を開閉するようにベース１１０に旋回可能に設置され、ヘッド部１４１とボディ部１４２から構成される。
【００３８】
ヘッド部１４１は、開放口１１１の前方に位置して開放口１１１を開閉する。
【００３９】
ボディ部１４２は、ヘッド部１４１から一体に延設されてベース１１０に設置され、末端に結合孔１４３が設けられてベース１１０の支持軸１１３に旋回可能に設置され、取付部材１５０と相対運動するように連結スロット１４４を持つ。ここで、連結スロット１４４は、ボディ部１４２の長手方向に延設されることが好ましい。
【００４０】
取付部材１５０は、磁石１３０をレンズ蓋１４０に設置するためのもので、コイル１２０に対向する磁石１３０の下側部が外部に露出するように磁石１３０の上部に結合し、上方部にはレンズ蓋１４０の連結スロット１４４に挿入されて連結される連結突起１５２が設けられる。
【００４１】
また、取付部材１５０は、ベース１１０の定着部１１５に駆動可能に設置され、磁石１３０と共に結合部１１２内で直線を描くように往復運動する。
【００４２】
ここで、取付部材１５０が連結突起１５２によってレンズ蓋１４０に結合するため、取付部材１５０が直線往復運動するにつれてレンズ蓋１４０が相対的に旋回往復運動して開放口１１１を開閉する。
【００４３】
一対の固定部材１６０は、磁石１３０を引っ張って固定させるためのもので、コイル１２０の両側でベース１１０の支持突起１１６に設置され、磁石１３０と反応して引力を発生させる金属からなる。
【００４４】
ここで、固定部材１６０は、支持突起１１６が定着部１１５から離隔しているので、磁石１３０に非接触するが、固定部材１６０と磁石１３０間の引力によって磁石１３０が引っ張られて固定できる。
【００４５】
これにより、コイル１２０に電流が印加されなくて電磁気力が発生しなくても、レンズ蓋１４０が開放口１１１の開放及び閉鎖位置に固定できるため、電流の浪費を防止することができる。
【００４６】
上述した構成を持つレンズ保護装置１００は、図３に示すように作動する。
【００４７】
図３に示すように、コイル１２０に矢印方向Ａの電流が印加される。
【００４８】
この際、コイル１２０ａに流れる矢印方向Ａの電流に対して直交する磁気力線が磁石１３０のＮ極から矢印方向Ｂに放射され、矢印方向Ａの電流と矢印方向Ｂの磁気力線によって磁石１３０には矢印方向Ｃの電磁気力が印加され、磁石１３０が矢印方向Ｃに直線を描くように移動する。
【００４９】
また、コイル１２０ｂに流れる矢印方向Ａの電流と矢印方向Ｄに入射するＳ極の磁気力線によって磁石１３０に矢印方向Ｃの電磁気力が印加され、磁石１３０が矢印方向Ｃに移動する。
【００５０】
これとは異なり、コイル１２０に矢印方向Ｅの電流が印加されると、磁石１３０に矢印方向Ｆの電磁気力が印加されて磁石１３０が矢印方向Ｆに移動し、これによりレンズ保護装置１００がレンズを開閉することができる。
【００５１】
上述した第１実施形態においては磁石が直線を描くように往復駆動されたが、これとは異なり、磁石が曲線を描くように往復駆動されることも可能であり、このようなレンズ保護装置を図４及び図５に示す。
【００５２】
図４及び図５に示すように、本発明の第２実施形態に係るレンズ保護装置２００は、ベース２１０、コイル２２０、磁石２３０、レンズ蓋２４０、取付部材２５０、及び固定部材２６０を含む。
【００５３】
本実施形態における、上述した第１実施形態と類似の構成を持つ部分については説明を省略する。
【００５４】
ベース２１０は、レンズ保護装置２００の部品が実装される部分であって、カメラ（図示せず）のレンズが露出する開放口２１１、レンズ蓋２４０を旋回可能に支持する支持軸２１３、取付部材２５０を旋回可能に支持する結合軸２１４、及びコイル２２０が結合する結合部２１２を備える。
【００５５】
支持軸２１３は、開放口２１１と同一の高さを持ってレンズ蓋２４０が水平を保つように開放口２１１と結合部２１２との間に設けられ、結合軸２１４は、開放口２１１と結合部２１２との間で支持軸２１３の直ぐ隣に位置する。
【００５６】
結合部２１２は、開放口２１１より低い位置にコイル２２０が結合するように段差をもって形成されるもので、取付部材２５０が定着される定着部２１５及び固定部材２６０を支持する支持突起２１６を有する。
【００５７】
定着部２１５は、結合部２１２の横方向に曲線を成すように設けられ、取付部材２５０の移動範囲を限定する。
【００５８】
コイル２２０は、電流の印加を受けるためのもので、例えば銅などの電気伝導性材料が所定の回数で巻線されて環状をしている。本実施形態において、コイル２２０は、対向する辺の電流の方向が互いに反対となるように断面が梯形であることが好ましい。
【００５９】
磁石２３０は、コイル２２０の周辺に磁場を形成するためのもので、コイル２２０に流れる電流と磁場から形成される電磁気力によって曲線を描くように駆動され、所定の曲率半径に曲げ加工された棒磁石２３０を使用する。
【００６０】
レンズ蓋２４０は、レンズを保護するためのもので、開放口２１１を開閉するようにベース２１０に旋回可能に設置され、ヘッド部２４１とボディ部２４２からなる。
【００６１】
ヘッド部２４１は、開放口２１１の前方に位置して開放口２１１を開閉する。
【００６２】
ボディ部２４２は、ヘッド部２４１から一体に延設されてベース２１０に設置され、末端に結合孔２４３が形成されてベース２１０の支持軸２１３に旋回可能に設置され、取付部材２５０と相対運動するように連結スロット２４４を有する。ここで、連結スロット２４４は、ボディ部２４２の幅方向に延設されることが好ましい。
【００６３】
取付部材２５０は、磁石２３０をレンズ蓋２４０に取り付けるためのもので、コイル２２０に対向する磁石２３０の下側部が外部に露出するように磁石２３０の上部に結合し、磁石２３０と同様の形状に曲げ加工される。
【００６４】
また、取付部材２５０は、中央部位から延在する延在部２５１を有し、延在部２５１は、ベース２１０の結合軸２１４が旋回可能に挿入される挿入孔２５３と、レンズ蓋２４０の連結スロット２４４に挿入されて連結される連結突起２５２とを有する。
【００６５】
また、取付部材２５０は、ベース２１０の定着部２１５に駆動可能に定着され、磁石２３０と共に結合部２１２内で曲線を描くように往復運動する。
【００６６】
ここで、取付部材２５０が連結突起２５２によってレンズ蓋２４０に結合するため、取付部材２５０が曲線往復運動するにつれてレンズ蓋２４０が相対的に旋回往復運動して開放口２１１を開閉する。
【００６７】
上述した構成を持つレンズ保護装置２００は、図６に示すように作動する。
【００６８】
図６に示すように、コイル２２０に矢印方向Ａの電流が印加される。
【００６９】
この際、コイル２２０ａに流れる矢印方向Ａの電流に対して直交する磁気力線が磁石２３０のＮ極から矢印方向Ｂに放射され、矢印方向Ａの電流と矢印方向Ｂの磁気力線によって磁石２３０には矢印方向Ｃの電磁気力が印加され、磁石２３０が矢印方向Ｃに曲線を描くように移動する。
【００７０】
また、コイル２２０ｂに流れる矢印方向Ａの電流と矢印方向Ｄに入射するＳ極の磁気力線によって磁石２３０に矢印方向Ｃの電磁気力が印加され、磁石２３０が矢印方向Ｃに移動する。
【００７１】
これとは異なり、コイル２２０に矢印方向Ｅの電流が印加されると、磁石２３に矢印方向Ｆの電磁気力が印加されて磁石２３０の矢印方向Ｆに移動し、これによりレンズ保護装置２００がレンズを開閉することができる。
【図面の簡単な説明】
【００７２】
【図１】本発明の第１実施形態に係るレンズ保護装置の分解斜視図である。
【図２】図１の平面図である。
【図３】図１の電磁気力による自動開閉動作を示す概略図である。
【図４】本発明の第２実施形態に係るレンズ保護装置の分解斜視図である。
【図５】図４の平面図である。
【図６】図４の電磁気力による自動開閉動作を示す概略図である。
【図７】従来の技術のレンズ保護装置を示す概略図である。
【符号の説明】
【００７３】
１００、２００    レンズ保護装置
１１０、２１０    ベース
１１１、２１１    開放口
１１３、２１３    支持軸
１２０、２２０    コイル
１３０、２３０    磁石
１４０、２４０    レンズ蓋
１５０、２５０    取付部材
１６０、２６０    固定部材
【図１】
2007241291.tif 000003
【図２】
2007241291.tif 000004
【図３】
2007241291.tif 000005
【図４】
2007241291.tif 000006
【図５】
2007241291.tif 000007
【図６】
2007241291.tif 000008
【図７】
2007241291.tif 000009